(57)【特許請求の範囲】
【請求項１】
光源からの光を入光させる光入射面と、前記光入射面から入光させた光を反射させる反射面と、前記反射面で反射した光を反射させ光出射面から外部へ出射させる鋸歯形状の微細凹凸プリズムと、を指針本体に備え、
前記反射面は、反射した光を前記微細凹凸プリズムに直接照射させ、
前記微細凹凸プリズムは、前記反射面で反射した光密度に応じて前記反射面との相対角度が異なる分布面からなる指針本体裏面に形成されていることを特徴とする計器用指針。
【請求項２】
請求項１記載の計器用指針であって、
前記微細凹凸プリズムの個々のプリズム反射面角度は、前記微細凹凸プリズムの延在方向で変化していることを特徴とする計器用指針。
【請求項３】
請求項１又は請求項２記載の計器用指針であって、
前記反射面は、凹曲面に形成されていることを特徴とする計器用指針。
【請求項４】
請求項１又は請求項２記載の計器用指針であって、
前記光入射面は、凸曲面に形成されていることを特徴とする計器用指針。
【発明の詳細な説明】
【技術分野】
【０００１】
本発明は、導光体よりなる指針本体に光源からの光を入光させて光出射面から出射させる自発光型の計器用指針に関し、例えば車両の速度計やタコメータ、燃料残量計、温度計等に用いて好適なものである。
【背景技術】
【０００２】
光の利用効率を上げてその出射輝度を高めるとともに、長手方向の輝度ムラを抑えて均一な輝度分布を得ることによって視認性を向上させることを目的とした計器用指針が知られている。例えば、特許文献１、特許文献２に開示される図１４，図１５に示す計器用指針５０１Ａ，５０１Ｂは、光利用効率を上げ、高輝度を実現するため、指針裏面５０３に反射面５０５である微細凹凸プリズム５０７を形成し、効率良く光を反射させている。また、微細凹凸プリズム５０７を用いた場合、その反射光は凹凸パターン形状に応じて明暗が発生するため、光出射面５０９に一体の拡散面５１１をシボ加工やエンボス加工等によって形成し、光を拡散させることで明暗の発生を防いでいる。また、輝度ムラに関しては、微細凹凸プリズム５０７の深さやピッチをコントロールすることで、指針根元５１３から指針先端５１５までの各指針位置での反射効率を制御し、均一性を確保している。
【先行技術文献】
【特許文献】
【０００３】
【特許文献１】特開２００３−２４０６１２号公報
【特許文献２】特開２００４−３０９３９７号公報
【発明の概要】
【発明が解決しようとする課題】
【０００４】
しかしながら、従来技術のように微細凹凸プリズム５０７の深さやピッチで輝度ムラをコントロールする場合、指針内部５１７の光の伝播を利用する構成となる。図１６に示すように、光出射面５０９は拡散面５１１であることから、指針内部５１７を伝播する際に光出射面５０９に入射した光は拡散され、次に微細凹凸プリズム５０７に向かう際には光の強度が低下する、又は光の角度分布が広くなる。すなわち、光出射面５０９が拡散面５１１であると、光出射面５０９に光量Ｘの光が入射する度に、透過散乱又は反射散乱を起こす。したがって、全反射面に比べ、指針先端に伝播する光量や微細凹凸プリズム５０７に入射する光量が減少し、例えば図中のポイントＡに到達する光量はＸ’−αとなる（但し、αは拡散面５１１を透過、又は拡散面５１１で散乱しポイントＡに到達しない光とする）。さらに、微細凹凸プリズム５０７に入射する光も散乱光となるため、全反射条件を満足できない光が増加することで、微細凹凸プリズム５０７から漏れる光量も増加する。結果、微細凹凸プリズム５０７で略垂直方向（視線方向）に反射する光量が減少する。このような理由により、従来構成では反射効率が低下し、光のロスが大きくなっていた。なお、反射効率とは、反射すべき光のうち減衰せずに反射する光の割合とする。
【０００５】
本発明は上記状況に鑑みてなされたもので、その目的は、光利用効率をより高め、高輝度化が実現できる計器用指針を提供し、もって、視認性のさらなる向上を図ることにある。
【課題を解決するための手段】
【０００６】
本発明に係る上記目的は、下記構成により達成される。
（１）  光源からの光を入光させる光入射面と、前記光入射面から入光させた光を反射させる反射面と、前記反射面で反射した光を反射させ光出射面から外部へ出射させる鋸歯形状の微細凹凸プリズムと、を指針本体に備え、前記反射面は、反射した光を前記微細凹凸プリズムに直接照射させ、前記微細凹凸プリズムは、前記反射面で反射した光密度に応じて前記反射面との相対角度が異なる分布面からなる指針本体裏面に形成されていることを特徴とする計器用指針。
【０００７】
この計器用指針によれば、光入射面から入光した光が、反射面から微細凹凸プリズム面に直接照射され、指針本体内で繰り返し伝播せず、微細凹凸プリズムによる１回の反射で出射される。また、反射面と指針本体裏面の相対角度が、反射面で反射した光密度に応じて設定されていることにより、指針根元から指針先端までの光密度が均一となる。
【０００８】
（２）  （１）の計器用指針であって、前記微細凹凸プリズムの個々のプリズム反射面角度は、前記微細凹凸プリズムの延在方向で変化していることを特徴とする計器用指針。
【０００９】
この計器用指針によれば、微細凹凸プリズムの延在方向で、個々のプリズム反射面角度が適宜に設定されることで、反射面からの光がプリズム反射面によって、出射面側へ全反射可能となる。
【００１０】
（３）  （１）又は（２）の計器用指針であって、前記反射面は、凹曲面に形成されていることを特徴とする計器用指針。
【００１１】
この計器用指針によれば、光源からある角度の広がりを持って光入射面から入光し、反射面によって反射しようとする光が、反射面が凹曲面となることで、反射面が平面の場合に比べ集束する方向に光偏向される。これにより、反射面で反射した後、直接拡散面に入射して拡散してしまっていた光や、反射面で反射した後、微細凹凸プリズムに入射しなかった光が、反射面から直接微細凹凸プリズムに入射するようになる。
【００１２】
（４）  （１）又は（２）の計器用指針であって、前記光入射面は、凸曲面に形成されていることを特徴とする計器用指針。
【００１３】
この計器用指針によれば、光源からある角度の広がりを持って光入射面から入光し、反射面によって反射しようとする光が、光入射面が凸曲面となることで、光入射面が平面の場合に比べ集束する方向に光偏向される。これにより、反射面で反射した後、直接拡散面に入射して拡散してしまっていた光や、反射面で反射した後、微細凹凸プリズムに入射しなかった光が、反射面から直接微細凹凸プリズムに入射するようになる。
【発明の効果】
【００１４】
本発明に係る計器用指針によれば、光利用効率をより高め、高輝度化が実現できる。この結果、視認性をさらに向上させることができる。
【図面の簡単な説明】
【００１５】
【図１】本発明に係る計器用指針を概念的に表した模式図である。
【図２】指針本体裏面が平面の場合の光密度を説明する模式図である。
【図３】指針本体裏面が平面の場合の指針位置と指針輝度との相関を表すグラフである。
【図４】反射面に対する分布面の相対角度と光密度との関係を説明する模式図である。
【図５】分布面が船底形形状に形成された指針本体裏面の側面図である。
【図６】反射面が凹曲面に形成される変形例に係る指針本体の要部拡大側面図である。
【図７】図６に示した変形例に係る指針本体の平面図である。
【図８】光入射面が凸曲面に形成される変形例に係る指針本体の要部拡大側面図である。
【図９】光学設計シミュレーションにて得た光線により光密度を表した裏面が平坦な指針本体の側面図である。
【図１０】図９に示した指針本体における照度と指針位置の相関を表したグラフである。
【図１１】（ａ）は分布面を平行移動により反射面から離した場合の模式図、（ｂ）は反射面と分布面の相対角度を大きくした場合の模式図、（ｃ）は反射面と分布面の相対角度を小さくした場合の模式図である。
【図１２】制御された分布面を有する指針本体の側面図である。
【図１３】図１２の分布面により照度の制御された指針本体の照度と指針位置の相関を表したグラフである。
【図１４】従来の計器用指針の側面図である。
【図１５】従来の他の計器用指針の側面図である。
【図１６】従来の計器用指針における反射面での反射後の光線路を表す要部拡大側面図である。
【発明を実施するための形態】
【００１６】
以下、本発明の実施の形態を図面を参照して説明する。
図１は本発明に係る計器用指針を概念的に表した模式図である。
本実施の形態に係る計器用指針１１は、光源１３からの光を入光させる光入射面１５と、光入射面１５から入光させた光を反射させる反射面１７と、反射面１７で反射した光を反射させ光出射面１９から外部２１へ出射させる鋸歯形状の微細凹凸プリズム２３と、を指針本体２５に備える。反射面１７は、反射した光を微細凹凸プリズム２３に直接照射させる。微細凹凸プリズム２３は、反射面１７で反射した光密度に応じて反射面１７との相対角度θ（図４参照）が異なる分布面２９（図５参照）からなる指針本体裏面３１に形成されている。
【００１７】
指針本体２５は、光源１３からの光を入光させ、内部での伝搬を可能とする透明な樹脂材からなる。樹脂材料としては、特に限定されないが、従来同様の透過率や成形性の面からＰＭＭＡ（ポリメタクリ酸メチル）、ＰＣ（ポリカーボネート）、ＰＳ（ポリスチレン）、ＣＯＰ（環状オレフィンポリマー）などを用いることができる。
【００１８】
光源１３としては、ＬＥＤが好ましく、各種の発光色が計器盤との色合わせで決定される。例えばＲＧＢ３原色の素子を一つのパッケージに封止した白色ＬＥＤを使うことにより、エンジンの回転数に応じて、白、赤、緑、青と発光させることができる。これにより、エンジン回転数の極度な変化をドライバーに促すことが可能となる。
【００１９】
計器用指針１１は、光利用効率を上げ、高輝度な指針を実現するため、指針本体裏面３１に微細凹凸プリズム２３を形成している。微細凹凸プリズム２３による反射光は、指向性又は方向性が高いため、そのままであると視野角が狭く、見る方向により大きく輝度が変化してしまう。また、微細凹凸プリズム２３のパターンに起因する、明暗が発生することから、拡散面３３によって光を拡散させることで、視野角特性の確保、明暗パターン発生を防止している。
【００２０】
拡散面３３は、指針出射面に一体で形成し、例えば金型側をシボ加工、エンボス加工、ブラスト処理等によって加工し、形転写で形成される物や、マイクロレンズをハニカム状に配置した構成、光散乱粒子を分散させた透明樹脂からなる光拡散層を形成する等、から成る。また、拡散面３３は拡散フィルム等を使う別体構成であってもよい。
【００２１】
ところで、従来技術では、光を指針本体２５の中を伝播させ、微細凹凸プリズム２３の深さやピッチで輝度ムラをコントロールしていた。しかし、この構成では上記の問題点で述べた通り、効率が悪化する。そのため、本構成では光入射面１５から入光し、反射面１７によって反射された光が微細凹凸プリズム２３に直接照射し、指針本体２５の内部で光を繰り返し伝播させず、微細凹凸プリズム２３からの１回の反射で光を出射させるようになされている。
【００２２】
図２は指針本体裏面３１が平面の場合の光密度を説明する模式図、図３は指針本体裏面３１が平面の場合の指針位置と指針輝度との相関を表すグラフである。
このような制御を行う際、図２に示すように、指針本体裏面３１が平面の場合、反射面１７からの物理的な距離の違いにより、図３に示すように、指針根元３５の光密度が高く、指針先端３７の光密度が低い状態になり、指針根元３５が非常に明るい状態となってしまう。指針中間はその間の光密度となる（Ａ＞Ｂ＞Ｃ）。なお、ここで、光密度とは、照明範囲における単位面積あたりの光束の密度を言う。
【００２３】
図４は反射面１７に対する分布面２９の相対角度θと光密度との関係を説明する模式図である。
この問題を解消するためには、指針根元３５から指針先端３７までの光密度を均一にする必要があり、図４に示すように指針本体裏面３１の形状をコントロールすることで、反射面１７と指針本体裏面３１の相対角度θにより、物理的な距離を制御する。このため、指針本体裏面３１は、反射面１７で反射した光密度に応じて反射面１７との相対角度θが異なる分布面２９として形成されている。分布面２９は、曲面又は複数の連続平面とすることができる。曲面の場合には、反射面１７との相対角度θは、曲面の接線で規定される。
【００２４】
図４に示すように、光密度を下げる場合、反射面１７と分布面２９の相対角度θを大きくすることで、光の到達距離Ｚ２を従来到達していた距離Ｚ１よりも長くする。光密度を上げる場合、反射面１７と分布面２９の相対角度θを小さくすることで、光の到達距離Ｚ３を従来到達していた距離Ｚ１よりも短くする。
【００２５】
この原理を利用し、指針本体裏面３１の指針根元３５から指針先端３７までの各位置での光密度を制御することにより、指針本体裏面３１に設けられる微細凹凸プリズム２３への光密度を均一化にすることが可能となる。これにより、輝度ムラを低減できる。
【００２６】
図５は分布面２９が船底形形状に形成された指針本体裏面３１の側面図である。
指針本体裏面３１に照射される光の均一性を制御するため、指針本体裏面３１に形成される分布面２９は曲面もしくは複数の平面から形成することができる。例えば、図５に示すように、指針先端３７に向かって反射面１７との相対角度θが徐々に小さくなる複数の平面を連続させることで、分布面２９は船底形のような形状となる。
【００２７】
このような分布面２９に微細凹凸プリズム２３を連続配置する場合、個々の微細凹凸プリズム２３は、出射面側に光を確実に全反射できるよう、各プリズム反射面角度θｐを設定して反射角度を微調整しても良い。すなわち、微細凹凸プリズム２３の個々のプリズム反射面角度θｐは、微細凹凸プリズム２３の延在方向（図５の左右方向）で変化することになってもよい。このような構成とすることで、反射面１７からの光が全てのプリズム反射面によって、出射面側へ確実に全反射可能となり、拡散面３３から外れる迷光が生じない。なお、光密度を均一化する制御は、基本的には同一のプリズム反射面角度θｐを連続配置する分布面２９によって可能となる。
【００２８】
このように、上記構成の計器用指針１１では、光入射面１５から入光した光が、反射面１７から微細凹凸プリズム面に直接照射され、指針本体２５内で繰り返し伝播せず、微細凹凸プリズム２３による１回の反射で出射される。従来構成のよう反射面１７から拡散面を経由させずに、直接微細凹凸プリズム２３に入射させ、光出射面１９へ反射させることで、光の伝播によるロスや指針本体裏面３１からの漏れによるロスが抑えられる。つまり、微細凹凸プリズム２３に多くの光を入射でき、結果多くの光が略垂直方向（視線方向）に反射される。また、反射面１７と指針本体裏面３１の相対角度θが、反射面１７で反射した光密度に応じて設定されていることにより、指針根元３５から指針先端３７までの光密度が均一となる。すなわち、指針本体裏面３１の形状を制御することで、指針根元３５から指針先端３７までの光密度が均一化となる。また、指針本体裏面３１に入射した光が微細凹凸プリズム２３で光出射面１９に全反射で反射する。光出射面１９ではこの光が拡散されるので、視野角の減少、明暗パターンの発生が防止される。以上の制御によって、均一性が高く、光利用効率の高い計器用指針１１が実現される。
【００２９】
つぎに、上記実施の形態に係る計器用指針１１の変形例を説明する。
図６は反射面１７が凹曲面４１に形成される変形例に係る指針本体２５の要部拡大側面図、図７は図６に示した変形例に係る指針本体２５の平面図である。なお、以下の各変形例において図１〜図５に示した部材と同一の部材には同一の符合を付し重複する説明は省略する。
この変形例に係る計器用指針１１Ａは、反射面１７Ａが、凹曲面４１に形成されている。凹曲面４１は、平面状の反射面１７よりも反射された光が集束する側に偏向される反射面１７Ａとなる。本要件を満たせば、球面、非球面、回転楕円面の他、複数の微少面を連続させて凹面状とした分布型の反射面１７Ａであってもよい。他の構成は上記実施の形態と同様である。なお、本明細書中の凹曲面４１、凸曲面４３とは、光の進む方向を見て最初の屈折境界となる面形状を言う。
【００３０】
光源１３から計器用指針１１Ａに入射する光は、ある角度の広がりを持っている。このことから、計器用指針１１Ａでは、反射面１７から微細凹凸プリズム面に直接光を照射する方式を採っているため、全ての光が効率良く各微細凹凸プリズム２３に入射しない場合が想定される（図中の破線の光線）。平面の反射面１７にて反射してから光出射面１９に沿う方向に進む光は、光出射面１９での透過散乱又は反射散乱により、微細凹凸プリズム２３での反射効率が低下し、効率良く光を利用できなくなる。また、反射面１７にて反射してから微細凹凸プリズム２３に進む光には、微細凹凸プリズム２３に到達できないものもあり、微細凹凸プリズム２３での反射効率が低下し、効率良く光を利用できなくなる。
【００３１】
なお、光出射面１９に照射される光は、光出射面１９と拡散面３３との形態によってその後の光線路が異なる。すなわち、光出射面１９が拡散面３３と―体の場合（シボ加工、エンボス加工、ブラスト処理等による形転写の場合）、拡散面３３に入射した光は、透過散乱又は反射散乱により拡散してしまうため、効率良く光を利用できない。また、光出射面１９が拡散面別体の場合には、拡散フィルム等を用いる等する。拡散フィルム等は、フィルム又はシート状のものだけではなく、表面を拡散処理、又は散乱材入りの材料を用いた成形品でも良い、また、２色成形やフィルムインサートとしてもよい。別体の拡散フィルム等は、貼着してもよいし、完全な別体とし指針本体２５の上方に配置してもよい。光出射面１９が拡散面別体（拡散面３３が指針本体２５と離れている）の場合、光出射面１９は全反射面となるため、散乱せず、入射角に応じた反射、又は入射角が臨界角より小さければ透過屈折する。例えば微細凹凸プリズム２３の同じポイントに、反射面１７から直接入射する場合と、全反射面となった光出射面１９を経由して入射する場合とでは、ポイントへの入射角は光出射面１９を経由して入射する場合の方が小さくなるため、臨界角より小さくなれば指針本体２５から光が漏れる（入射角度が小さくなる程漏れ易くなる）。このため、微細凹凸プリズム２３での反射効率が低下する。
【００３２】
この問題を解決するため、本変形例では、反射面１７Ａで光を集光する形状とし、例えば凹曲面４１とする。その結果、光を絞る（集光する）ことで、反射面１７Ａによる反射後の光の広がり角度を小さくでき、従来は直接微細凹凸プリズムに入射しなかった角度の光を、反射面１７Ａから直接微細凹凸プリズムに入射させることができるようになる（図６中の実線の光線）。
【００３３】
このように、本変形例では、光源１３からある角度の広がりを持って光入射面１５から入光し、反射面１７Ａによって反射しようとする光は、反射面１７Ａが凹曲面４１となることで、反射面１７が平面の場合に比べ集束する方向に光偏向される。これにより、反射面１７Ａで反射した後、直接拡散面に入射して拡散してしまっていた光や、反射面１７で反射した後、微細凹凸プリズム２３に入射しなかった光が、反射面１７から直接微細凹凸プリズムに入射するようになる。その結果、微細凹凸プリズム２３に入射する光量が増加し、指針照明効率をさらに改善することができる。
【００３４】
また、図７に示すように、指針幅方向（図７の左右方向）も同様に凹曲面４１とすることで、平面時は指針側面に入射していた光（図中、破線の光線）を、直接微細凹凸プリズムに入射させることで、微細凹凸プリズム２３に入射する光量が増加し、指針照明効率をさらに改善することができる。
【００３５】
次に、上記実施の形態に係る計器用指針１１の他の変形例を説明する。
図８は光入射面１５Ａが凸曲面４３に形成される変形例に係る指針本体２５の要部拡大側面図である。
この変形例に係る計器用指針１１Ｂは、光入射面１５が凸曲面４３に形成されている。凸曲面４３は、平面状の光入射面１５よりも入光させた光が集束する側に偏向される光入射面１５Ａとなる。本要件を満たせば、球面、非球面、回転楕円面の他、複数の微少面を連続させて凸面状とした分布屈折率レンズ型の光入射面１５Ａであってもよい。他の構成は上記実施の形態と同様である。上述したように、計器用指針１１に入射する光は、ある角度の広がりを持つため、反射面１７にて反射してから光出射面１９に沿う方向に進み、光出射面１９での透過散乱又は反射散乱により、微細凹凸プリズム２３での反射効率が低下する。また、微細凹凸プリズム２３に進む光には、微細凹凸プリズム２３に到達できないものもある（図８中、破線の光線）。
【００３６】
この問題を解決するため、本変形例では、光入射面１５Ａで光を集光する形状とし、例えば凸レンズ化する。その結果、光源１３からある角度の広がりを持って光入射面１５Ａから入光し、反射面１７によって反射しようとする光は、光入射面１５Ａが凸曲面４３となることで、光入射面１５が平面の場合に比べ集束する方向に光偏向される。これにより、反射面１７で反射した後、直接拡散面に入射して拡散してしまっていた光や、反射面１７で反射した後、微細凹凸プリズム２３に到達しなかった光が、反射面１７から直接微細凹凸プリズムに入射するようになる。
【００３７】
これにより、微細凹凸プリズム２３に入射する光量が増加し、指針照明効率をさらに改善することができる。
【００３８】
したがって、本実施の形態による計器用指針１１によれば、光利用効率をより高め、高輝度化が実現できる。この結果、視認性をさらに向上させることができる。また、従来同等の明るさを維持する場合、光源（ＬＥＤ）数の削減が実現でき、コスト低減を実現できる。また、従来同等の明るさを維持する場合、光源（ＬＥＤ）の電流値を下げることができ、消費電力を削減することができる。
【実施例】
【００３９】
次に、上記実施の形態に係る構成の光学設計シミュレーションを試行した結果について説明する。図９は光学設計シミュレーションにて得た光線により光密度を表した裏面が平坦な指針本体の側面図である。
微細凹凸プリズムの形成された指針本体裏面が平面である場合、指針本体の基端で光の密度が密となり、指針本体の先端で光の密度が疎となった。
【００４０】
図１０は図９に示した指針本体における照度と指針位置の相関を表したグラフである。
指針本体の全長における各位置の照度を算出した。得られた照度分布線は、基端と中央部の間あたりで、狙いとする照度分布線と交差した。この交点より基端側では光の密度が密であり、先端側では光の密度が疎となる。この交点を境に、基端側の照度を下げて先端側の照度を上げる制御が必要となることが分かる。
【００４１】
図１１（ａ）は分布面を平行移動により反射面から離した場合の模式図、（ｂ）は反射面と分布面の相対角度を大きくした場合の模式図、（ｃ）は反射面と分布面の相対角度を小さくした場合の模式図である。
図１１（ａ）に示すように、反射面を平面で形成し、この反射面に平行光を照射したとき、分布面を、平行移動により反射面から離しても、基準密度ρａと変更後の密度ρｂは同じであり（ρａ＝ρｂ）、密度制御はできなかった。図１１（ｂ）に示すように、反射面と分布面の相対角度を大きくすると、基準密度ρａに対して変更後の密度ρｃは疎となった（ρａ＞ρｃ）。図１１（ｃ）に示すように、反射面と分布面の相対角度を小さくすると、基準密度ρａに対して変更後の密度ρｄは密となった（ρａ＜ρｄ）。
【００４２】
図１２は制御された分布面を有する指針本体の側面図、図１３は図１２の分布面により照度の制御された指針本体の照度と指針位置の相関を表したグラフである。 
上記シミュレーション結果に基づき基端では反射面に対する分布面の相対角度を大きく設定し、先端に向かって徐々に相対角度を小さくするよう分布面を設定した。すなわち、交点から基端側は相対角度を大きく、先端側は相対角度を小さくする制御を行った。なお、微細凹凸プリズムの全てのプリズム角は同一とした。指針本体裏面は図１２に示す船底の様な形状となった。この船底形状の分布面における照度をシミュレーションした結果、図１３に示すように、指針本体の基端から先端までが、ほぼ狙いとする照度分布となった。
【符号の説明】
【００４３】
１１  計器用指針
１３  光源
１５  光入射面
１７  反射面
１９  光出射面
２１  外部
２３  微細凹凸プリズム
２５  指針本体
２９  分布面
３１  指針本体裏面
４１  凹曲面
４３  凸曲面
θ  相対角度
θｐ  プリズム反射面角度
【図１】
0005586396.tif 000002
【図２】
0005586396.tif 000003
【図３】
0005586396.tif 000004
【図４】
0005586396.tif 000005
【図５】
0005586396.tif 000006
【図６】
0005586396.tif 000007
【図７】
0005586396.tif 000008
【図８】
0005586396.tif 000009
【図９】
0005586396.tif 000010
【図１０】
0005586396.tif 000011
【図１１】
0005586396.tif 000012
【図１２】
0005586396.tif 000013
【図１３】
0005586396.tif 000014
【図１４】
0005586396.tif 000015
【図１５】
0005586396.tif 000016
【図１６】
0005586396.tif 000017